(57)【要約】【課題】  車椅子使用者に容易に、しかもスピーディーに着装させることができる車椅子用防寒着を提供する。【解決手段】  前身頃、後身頃、及び左右の袖を備え、左前身頃と右前身頃を前開きに分離する前開き部と、左後身頃と右後身頃を後開きに分離する後開き部とを有し、前記後身頃は、切れ込み部が形成されてなり、前記切れ込み部を境界として、上側後開き部と下側後開き部の上下に分離されてなる車椅子用防寒着であって、左上後身頃及び右上後身頃を車椅子に着座した使用者の背面側に掛け回して前記上側後開き部が係着された状態で、左下後身頃と右下後身頃とが前記車椅子の背もたれの左右両側面までを被覆でき、前記下側後開き部の留め具と前記背もたれの左右両側部に設けた被留め具とが係着可能である。【選択図】  図１３
2018127723.tif 000002
【特許請求の範囲】
【請求項１】
前身頃、後身頃、及び左右の袖を備え、
前記前身頃は、左前身頃と右前身頃からなり、前記前身頃の前中心が上下方向に沿って、前記左前身頃と右前身頃とを前開きに分離する前開き部を有すると共に、該前開き部が留め具により開閉自在に構成されてなり、
前記後身頃は、左後身頃と右後身頃からなり、前記後身頃の背中線に沿って、前記左後身頃と右後身頃とを後開きに分離する後開き部を有すると共に、該後開き部が留め具により開閉自在に構成されてなり、
前記後身頃は、前記袖が縫合されてなる左右の袖付け部の上下中央部同士を結ぶ線で上下に分離する切れ込み部が形成されてなり、
前記後開き部が、前記切れ込み部を境界として、上側後開き部と下側後開き部の上下に分離されてなることによって、
前記左後身頃は、左上後身頃及び左下後身頃から構成されてなり、
前記右後身頃は、右上後身頃及び右下後身頃から構成されてなり、
前記左上後身頃及び前記右上後身頃を車椅子に着座した使用者の背面側に掛け回して前記上側後開き部が係着された状態で、前記下側後開き部が脱離された前記左下後身頃と前記右下後身頃とを左右に大きく開くことにより、該左下後身頃と右下後身頃とが前記車椅子の背もたれの左右両側面までを被覆でき、
前記下側後開き部の留め具と前記背もたれの左右両側部に設けた被留め具とが係着可能である、
ことを特徴とする車椅子用防寒着。
【請求項２】
前記前開き部及び前記後開き部をそれぞれ左右に脱離することで、左手側部と右手側部に２分割できる、
ことを特徴とする請求項１記載の車椅子用防寒着。
【請求項３】
車椅子に着座した使用者の正面及び該車椅子の周面を被覆可能な前身頃と後身頃とを備え、
前記前身頃は、左前身頃と右前身頃からなり、前記前身頃の前中心が上下方向に沿って、前記左前身頃と右前身頃とを前開きに分離する前開き部を有すると共に、該前開き部が留め具により開閉自在に構成されてなり、
前記後身頃は、左後身頃と右後身頃からなり、前記後身頃の背中線に沿って、前記左後身頃と右後身頃とを後開きに分離する後開き部を有すると共に、該後開き部が留め具により開閉自在に構成されてなり、
前記後身頃の内側面には、前記後開き部の中央部を架け渡されてなるベルト部材が設けられ、
前記ベルト部材は、前記前身頃を車椅子に着座した使用者に引き付けつつ該使用者の背面側に配置されると共に、該車椅子の手押しハンドルと背もたれとの間に掛け止めることができる、
ことを特徴とする車椅子用防寒着。
【請求項４】
前記前身頃は、裾部が車椅子に着座した使用者の足元を被覆可能な長さとなるように形成され、
前記裾部の内側面には、前記前開き部を架け渡されて、該裾部を絞り込み可能とする絞りベルト部材が取り付けられてなる、
ことを特徴とする請求項３記載の車椅子用防寒着。
【発明の詳細な説明】
【技術分野】
【０００１】
本発明は、車椅子使用者が着脱しやすく身体の保温が可能な車椅子用の防寒着に関する。
【背景技術】
【０００２】
冬季において、身体の不自由な使用者等が移動のために車椅子を使用する際、防寒着を着装することで使用者等の寒さ対策が取られている。
【０００３】
防寒着は、例えば、袖刳りの脇の下辺りから下側を縫合せず、前身頃と後身頃が脇の部分で分離してなり、また、前身頃の内側に、袖部の無いベスト様の内着を備え、袖刳りの脇の下辺りから下側は後身頃と内着のみが縫合され、前身頃は分離して構成されてなる（特許文献１参照）。
【先行技術文献】
【特許文献】
【０００４】
【特許文献１】特開２０１０−５９５８４号公報
【発明の概要】
【発明が解決しようとする課題】
【０００５】
しかし、従来技術は、前身頃と後身頃から構成される車椅子使用者用上着で、身体の不自由な使用者等が着装する際、使用者が車椅子に着座する前に防寒着を着装することもあるが、通常、車椅子に着座した後に防寒着を着装することの方が多く、身体が不自由な方になる程、着装が困難となり着装に時間を要すると共に、使用者及び介護者への負担が増すという課題があった。
【０００６】
例えば、使用者を車椅子に着座させて防寒着を着装する場合、車椅子の背もたれから使用者の背面を引き起こし、背もたれと背面の間に防寒着の後身頃を挿し入れて、次に両手をそれぞれ左右の袖に通し、その次に首に襟部を巻き付けるようにしながら、上半身前側に左右の前身頃を沿わせ、面ファスナー等で左右の前身頃を結合することにより着装している。
【０００７】
しかし、身体が不自由な方になる程、使用者の背面の引き起こしや、背もたれと背面の間への防寒着の後身頃の挿し入れ、両手の袖通し等々、防寒着の着装作業に困難が生ずることが多かった。
【課題を解決するための手段】
【０００８】
そこで、上記課題を解決するための手段として本発明に係る車椅子用防寒着は、[１]前身頃、後身頃、及び左右の袖を備え、前記前身頃は、左前身頃と右前身頃からなり、前記前身頃の前中心が上下方向に沿って、前記左前身頃と右前身頃とを前開きに分離する前開き部を有すると共に、該前開き部が留め具により開閉自在に構成されてなり、前記後身頃は、左後身頃と右後身頃からなり、前記後身頃の背中線に沿って、前記左後身頃と右後身頃とを後開きに分離する後開き部を有すると共に、該後開き部が留め具により開閉自在に構成されてなり、前記後身頃は、前記袖が縫合されてなる左右の袖付け部の上下中央部同士を結ぶ線で上下に分離する切れ込み部が形成されてなり、前記後開き部が、前記切れ込み部を境界として、上側後開き部と下側後開き部の上下に分離されてなることによって、前記左後身頃は、左上後身頃及び左下後身頃から構成されてなり、前記右後身頃は、右上後身頃及び右下後身頃から構成されてなり、前記左上後身頃及び前記右上後身頃を車椅子に着座した使用者の背面側に掛け回して前記上側後開き部が係着された状態で、前記下側後開き部が脱離された前記左下後身頃と前記右下後身頃とを左右に大きく開くことにより、該左下後身頃と右下後身頃とが前記車椅子の背もたれの左右両側面までを被覆でき、前記下側後開き部の留め具と前記背もたれの左右両側部に設けた被留め具とが係着可能であることを特徴とする車椅子用防寒着である。
【０００９】
また本発明は、［２］前記前開き部及び前記後開き部をそれぞれ左右に脱離することで、左手側部と右手側部に２分割できることを特徴とする車椅子用防寒着である。
【００１０】
また本発明は、前記[１]又は[２]に記載の車椅子用防寒着を備えると共に、前記背もたれの左右両側部に前記下側後開き部の留め具と係着可能な被留め具が設けられてなる車椅子を提供することもでき、これにより車椅子の胸ベルトや肩ベルトを簡単に留めることが可能となる。
【００１１】
このようにしてなる車椅子用防寒着は、冬季において、身体が不自由な車椅子使用者に対する防寒着の着装作業の簡便化、及び防寒効果の向上等に寄与することができると共に、使用者及び介護者への負担を軽減するものである。
【００１２】
本発明によれば、布帛からなり、所謂、ジャンパー型の構造をしてなり、前記前身頃を前開きに、且つ前記後身頃を後開きに開閉可能とすることによって、前記左手側部と右手側部に２分割できると共に、前記後身頃が前記切れ込み部を境界にして上側後開き部と下側後開き部の上下に分離されてなることによって、前記後身頃が、前記左上後身頃及び左下後身頃と、右上後身頃及び右下後身頃にそれぞれ分離して構成されてなることにより、身頃の各部位を単独、若しくは相互に機能させることができる。
【００１３】
その構成によって、（１）車椅子用防寒着の前記後身頃を前記後開き部において開いた状態として、車椅子に着座した使用者の正面側を覆いつつ使用者の両手を前記左右の袖に通し、（２）前記左上後身頃及び前記右上後身頃を車椅子に着座した使用者の背面側に掛け回し、（３）前記左上後身頃及び前記右上後身頃の前記上側後開き部の留め具を係着した状態で、（４）前記下側後開き部が脱離された前記左下後身頃と前記右下後身頃とを左右に大きく開き、（５）前記左下後身頃と前記右下後身頃とで前記車椅子の背もたれの左右両側面までを覆い、（６）前記左下後身頃及び前記右下後身頃の前記下側後開き部の留め具と、前記背もたれの左右両側部に設けた被留め具とを係着し、（７）前記前開き部の留め具を係着することにより、車椅子用防寒着の使用者への着装が段階的、且つ容易に完了することができる。
【００１４】
また、両手の袖通しについても、前記左手側部と右手側部に２分割可能とされてなるので、車椅子使用者が着座したままの状態で、前記左手側部と右手側部とをそれぞれ単独に着装することが可能となり、両手の袖通し等が容易にできる。一方、使用者が車椅子に着座する前において、別々に着装するか、２分割せずに一体で着装するかは、使用者の状況に応じて選択することができる。
【００１５】
また、前記後開き部の前記留め具は、例えば、複数の面ファスナーで構成されてなり、前記背もたれの左右両側部の前記被留め具も、例えば、複数の面ファスナーで構成されてなることにより、前記後開き部の前記留め具同士を、或いは前記下側後開き部の前記留め具と前記背もたれの左右両側部の前記被留め具とを、それぞれ着脱自在に係着することができる。なお、前記前開き部の前記留め具は、例えば、１本の線ファスナーで構成されてなる。
【００１６】
上記構成により、車椅子使用者が車椅子に着座した状態における防寒着の着装が簡単になる。つまり、防寒着の身頃として、前記左手側部と右手側部に２分割できると共に、前記後身頃が左上後身頃及び左下後身頃と、右上後身頃及び右下後身頃とに、それぞれ分離できる構成とされてなるので、使用者への防寒着の着装が簡便となる。
【００１７】
より詳しくは、使用者が車椅子に着座した状態で防寒着を着装する場合、身体が不自由な方になる程、着装作業に労力と時間を要することになるが、本発明によれば、着装に当たって、身頃の各部位を単独、若しくは相互に機能させることができることにより、着座した使用者に対して、身頃の各部位毎に、段階的に着装させることが可能となるので、防寒着の着装作業が容易になると共に、スピーディーに完了することができる。
【００１８】
また、防寒着の着装作業は、上述したように、使用者の正面側を覆いつつ両手を袖に通すことから始まって、前記前開き部の前記留め具の係着で完了することになるが、自分の意志で身体を制御できない程の使用者であっても、本発明の身頃の左右分割及び上下分離の構成により、介護者が使用者の身体の動きに惑わされることなく、段階的に着装させることができることになり、車椅子に着座した状態での着装作業が簡便となる。
【００１９】
また、身体の不自由が軽い方の場合であっても、例えば、家の中で使用者に防寒着を着装させておき、家の外に置いてある車椅子に着座してから、前記下側後開き部の前記留め具同士を脱離して、次に前記左下後身頃と前記右下後身頃とを左右に大きく開き、前記左下後身頃と前記右下後身頃とで前記車椅子の背もたれの左右両側面までを被覆して、最後に前記下側後開き部の前記留め具と前記背もたれの左右両側部に設けた前記被留め具とをそれぞれ係着するだけで、防寒着が着装できることになり、介護者の負担を軽減することができる。
【００２０】
さらに、使用者が車椅子から退座する際も、前記下側後開き部の前記留め具と前記背もたれの左右両側部に設けた前記被留め具とをそれぞれ脱離して、その後使用者を退座させてから、次に着装したままの状態で前記下側後開き部の前記留め具同士を係着することにより、そのまま通常の防寒着のように継続して使用することができるので、防寒着としての使い道に自由度が広がる。
【００２１】
また、車椅子は、防寒着を係着するための接続部材として、前記下側後開き部の前記留め具に対応するように、車椅子の前記背もたれの左右両側部には複数の前記被留め具が設けられてなる。
【００２２】
また、前記前身頃及び前記後身頃の内面に、起毛素材で構成される部分保温用の当て布を縫着することにより、さらに防寒効果を向上させることが可能となる。
【００２３】
また本発明は、［３］車椅子に着座した使用者の正面及び該車椅子の周面を被覆可能な前身頃と後身頃とを備え、前記前身頃は、左前身頃と右前身頃からなり、前記前身頃の前中心が上下方向に沿って、前記左前身頃と右前身頃とを前開きに分離する前開き部を有すると共に、該前開き部が留め具により開閉自在に構成されてなり、前記後身頃は、左後身頃と右後身頃からなり、前記後身頃の背中線に沿って、前記左後身頃と右後身頃とを後開きに分離する後開き部を有すると共に、該後開き部が留め具により開閉自在に構成されてなり、前記後身頃の内側面には、前記後開き部の中央部を架け渡されてなるベルト部材が設けられ、前記ベルト部材は、前記前身頃を車椅子に着座した使用者に引き付けつつ該使用者の背面側に配置されると共に、該車椅子の手押しハンドルと背もたれとの間に掛け止めることができることを特徴とする車椅子用防寒着である。
【００２４】
また本発明は、［４］前記前身頃は、裾部が車椅子に着座した使用者の足元を被覆可能な長さとなるように形成され、前記裾部の内側面には、前記前開き部を架け渡されて、該裾部の端部を絞り込み可能とする絞りベルト部材が取り付けられてなることを特徴とする車椅子用防寒着である。
【００２５】
また本発明は、前記[３]又は[４]に記載の車椅子用防寒着を備えている車椅子を提供することもできる。
【００２６】
このようにしてなる車椅子用防寒着は、冬季において、身体が不自由な車椅子使用者に対する防寒着の着装作業の簡便化、及び防寒効果の向上等に寄与することができると共に、使用者及び介護者への負担を軽減するものである。
【００２７】
本発明によれば、略矩形で布帛からなり、所謂、ポンチョ型の構造をしてなり、車椅子に着座した使用者の正面、及び車椅子の周面を被覆可能な前身頃と後身頃とを備え、前記前身頃を前開きに、且つ前記後身頃を後開きに開閉可能とすることによって、前記前開き部と前記後開き部で左右に分離できるように構成されてなる。
【００２８】
その構成によって、（１）車椅子用防寒着の前記後身頃を前記後開き部において開いた状態として、車椅子に着座した使用者の正面側から車椅子の前側の周面を覆い、（２）前記左後身頃及び前記右後身頃で車椅子の後側の周面から使用者の背面側を覆い、（３）前記ベルト部材で前記前身頃を車椅子に着座した使用者に引き付けつつ、（４）前記左後身頃と右後身頃を使用者の背面側に配置して、前記後開き部の前記留め具同士を係着し、（５）車椅子の手押しハンドルと背もたれとの間に前記ベルト部材を掛け止め、（６）最後に前記絞りベルト部材で足元の前記裾部を絞り込んで掛け止めることにより、車椅子用防寒着の使用者への着装が段階的、且つ容易に完了することができる。
【００２９】
また、前記前開き部の前記留め具は、例えば、１本の線ファスナーで構成されてなり、前記前開き部の前記左前身頃と右前身頃を開閉自在に係着できる。また、前記後開き部の前記留め具は、例えば、面ファスナーで構成されてなり、前記後開き部の前記左後身頃と右後身頃を着脱自在に係着できる。
【００３０】
また、前記ベルト部材は、ベルトとバックルとベルト押えからなり、前記後開き部の中央部で前記左後身頃と右後身頃とを架け渡すように前記後身頃の内側面に設けられてなり、身体に被覆して余った身頃を折り畳むようにしつつ前記手押しハンドルと背もたれとの間に挿し入れて、防寒着を着装した後に身体からずり落ちないように掛け止めるものである。
【００３１】
また、前記絞りベルト部材は、ベルトとバックルとベルト押えからなり、前記前開き部の前記裾部で前記左前身頃と右前身頃とを架け渡すように前記前身頃の内側面に設けられてなり、前記裾部を絞り込んで係着するものである。
【００３２】
上記構成により、使用者が車椅子に着座した状態で防寒着を着装する場合、身体が不自由な方になる程、着装作業に労力と時間を要することになるが、本発明によれば、防寒着の身頃として、前記前開き部と前記後開き部で左右に分離できるので、例えば、前記左前身頃と前記左後身頃で身体の左側を覆い、次に前記右前身頃と前記右後身頃で身体の右側を覆い、次に前記前身頃の前記留め具を係着し、次に前記後身頃の前記留め具を係着し、次に前記ベルト部材を掛け止め、最後に絞りベルト部材を掛け止めることにより着装を段階的に完了することもできるので、使用者への防寒着の着装が簡便となる。
【００３３】
また、車椅子に着座した使用者の足元を被覆できる長さに前記前身頃が形成されてなることにより、身体の上半身から下半身にかけて被覆することができると共に、前記絞りベルト部材で足元から外方へ乱れる前記裾部を係着することができることにより、該裾部を整えることができる。
【発明の効果】
【００３４】
本発明によれば、車椅子に着座した状態の使用者の正面側から被せて、使用者の背面側で着装ができるので、自己の手足等の身体が動いてしまうことを自分の意志で制御できない使用者に対しても、介護者が使用者の身体の動きに惑わされることなく、容易に、且つスピーディーに着装作業を完了することができる。
【００３５】
また、車椅子の周面を被覆した状態で、左下後身頃及び右下後身頃の下側後開き部の留め具と、車椅子の背もたれの左右両側部に設けた被留め具とを確実に係着することができるので、防寒着が風の煽りで捲れ上がったりすることがなく、防寒効果が向上すると共に、長時間に亘って着崩れを防止することができる。
【００３６】
また、左手側部と右手側部に２分割可能としてなるので、使用者に左手側部と右手側部とそれぞれ単独に着装することが可能となり、自分の意志で身体を制御できない使用者に対する手の袖通し等、容易に着装させることができ、着装作業の負担を大幅に減らすことができる。
【００３７】
また、下後身頃が車椅子の背もたれの左右両側面までを被覆することができ、左右の下側後開き部の留め具と背もたれの左右両側部に設けた被留め具とを係着することにより、防寒着が着装されてなるので、外観的にも見栄えが良く、使用者にとっても違和感の無い車椅子用防寒着を実現することができる。
【００３８】
また、ベルト部材を設けてなることにより、着装した後に身体からずり落ちることを防ぐと共に、身体に被覆して余った身頃をベルト部材で折り畳むようにして、車椅子の手押しハンドルと背もたれとの間に挿し入れて掛け止めることができる。
【００３９】
また、車椅子に着座した使用者の足元を被覆できる長さに前身頃が形成され、前開き部の裾部に絞りベルト部材を設けてなることにより、身体の上半身から下半身にかけて被覆することができると共に、被覆された足元から外方へ乱れる裾部の端部を、絞りベルト部材で絞り込むように係着することができるので、防寒的にも外観的にも好適である。
【００４０】
また、車椅子の背もたれの左右両側部に、防寒着の下側後開き部の留め具と係着可能な被留め具を設けることにより、使用者と車椅子を防寒着で一体に被覆することが可能な車椅子を実現できる。
【図面の簡単な説明】
【００４１】
【図１】本発明の第一の実施例を示す図であり、車椅子用防寒着１の正面図である。
【図２】本発明の第一の実施例を示す図であり、車椅子用防寒着１の背面図である。
【図３】本発明の第一の実施例を示す図であり、左手側部Ｌと右手側部Ｒに２分割した状態の車椅子用防寒着１の背面図である。
【図４】本発明の第一の実施例を示す図であり、下側後開き部１９７を脱離して、左下後身頃１３８と右下後身頃１３９を左右に大きく開いた状態の車椅子用防寒着１の背面図である。
【図５】本発明の第一の実施例を示す図であり、上側後開き部１９５を脱離して、左上後身頃１３５と右上後身頃１３６を左右に開いた状態の車椅子用防寒着１の背面図である。
【図６】本発明の第一の実施例を示す図であり、後開き部１９を脱離して、左後身頃１３１と右後身頃１３２を左右に大きく開いた状態の車椅子用防寒着１の背面図である。
【図７】本発明の第一の実施例の車椅子用防寒着１の使用状態を示す参考図であり、左下後身頃１３８と右下後身頃１３９を左右に大きく開いた状態で、左上後身頃１３５及び右上後身頃１３６を車椅子５に着座した使用者Ｍの背面側に掛け回した状態を背面側から見た拡大斜視図（ａ）、及び左下後身頃１３８と右下後身頃１３９を左右に大きく開いた状態で、使用者Ｍに左上後身頃１３５及び右上後身頃１３６の留め具Ｆ同士を係着した状態を背面側から見た拡大斜視図（ｂ）である。
【図８】本発明の第二の実施例を示す図であり、車椅子用防寒着３の正面図（ａ）、及び側面図（ｂ）である。
【図９】本発明の第二の実施例を示す図であり、車椅子用防寒着３の背面図（ａ）、及び側面図（ｂ）である。
【図１０】本発明の第二の実施例の別の形態を示す図であり、車椅子用防寒着３の正面図（ａ）、及び側面図（ｂ）である。
【図１１】本発明の第二の実施例の別の形態を示す図であり、車椅子用防寒着３の背面図（ａ）、及び側面図（ｂ）である。
【図１２】車椅子５の側面図である。
【図１３】本発明の第一の実施例の車椅子用防寒着１の使用状態を示す参考図であり、車椅子５に着座した使用者Ｍに車椅子用防寒着１を着装した状態の側面図（ａ）、及び斜視図（ｂ）である。
【図１４】本発明の第二の実施例の車椅子用防寒着３の使用状態を示す参考図であり、車椅子５に着座した使用者Ｍに車椅子用防寒着３を着装した状態の側面図（ａ）、及び斜視図（ｂ）である。
【発明を実施するための形態】
【００４２】
本発明に係る車椅子用防寒着１（ジャンパー型）、及び車椅子用防寒着３（ポンチョ型）の実施の形態を、図１乃至図１４を参照しながら詳しく説明する。
【００４３】
本発明の第一の実施例の車椅子用防寒着１は、図１及び図２に示すように、前身頃１１、後身頃１３、及び左右の袖１５，１５を備えてなる。
【００４４】
前身頃１１は、図１に示すように、左前身頃１１１と右前身頃１１３からなり、前身頃１１の前中心が上下方向に沿って、左前身頃１１１と右前身頃１１３とを前開きに分離する前開き部１７を有すると共に、前開き部１７が線ファスナーからなる留め具Ｔにより開閉自在に構成されてなる。
【００４５】
後身頃１３は、図２に示すように、左後身頃１３１と右後身頃１３２からなり、後身頃１３の背中線に沿って、左後身頃１３１と右後身頃１３２とを後開きに分離する後開き部１９を有すると共に、後開き部１９が面ファスナーからなる複数の留め具Ｆにより開閉自在に構成されてなる。なお、後開き部１９は、左後身頃１３１と右後身頃１３２の両端部同士が後開きに分離する分離部１９１で一部重畳してなる。
【００４６】
また、後身頃１３は、袖１５，１５が縫合されてなる左右の袖付け部１５１，１５１の上下略中央部１５３，１５３同士を結ぶ線で上下に分離する切れ込み部１３３が形成されてなり、後開き部１９が、切れ込み部１３３を境界として、上側後開き部１９５と下側後開き部１９７の上下に分離されてなることによって、左後身頃１３１は、左上後身頃１３５及び左下後身頃１３８から構成されてなり、右後身頃１３２は、右上後身頃１３６及び右下後身頃１３９から構成されてなる。なお、切れ込み部１３３は、上後身頃１３４と下後身頃１３７の両端部同士が上下に分離する分離部１９３で一部重畳してなる。
【００４７】
このようにしてなる車椅子用防寒着１は、図３に示すように、前開き部１７及び後開き部１９をそれぞれ左右に脱離することで、左手側部Ｌと右手側部Ｒの２分割に分割することができる。
【００４８】
また、図４乃至図６に示すように、下側後開き部１９７を脱離して、左下後身頃１３８と右下後身頃１３９を左右に大きく開くことができ（図４）、また上側後開き部１９５を脱離して、左上後身頃１３５と右上後身頃１３６を左右に開くことができ（図５）、さらに後開き部１９を脱離して、左後身頃１３１と右後身頃１３２を左右に大きく開くことができる（図６）。
【００４９】
車椅子５は、図１２に示すように、背もたれ５１、手押しハンドル５２、サイドガード５３、着座シート５４、支柱５５、足置き５６、前輪５７、及び後輪５８で構成されてなり、左右の背もたれ５１の左右両側部には、左下後身頃１３８と右下後身頃１３９に設けた留め具Ｆと対応する面ファスナーからなる複数の被留め具Ｋが設けられてなる。また、背もたれ５１の左右両側部への被留め具Ｋの固定は、接着剤で固定しても良く、その他の固定方法であっても良い。なお、被留め具Ｋは背もたれ５１の左右両側部に設ける以外に、左右の支柱５５の両側部に設けても良い。
【００５０】
このようにしてなる車椅子用防寒着１は、図７、図１２及び図１３に示すように、（１）車椅子用防寒着１の後身頃１３を後開き部１９において開いた状態として、車椅子５に着座した使用者Ｍの正面側を覆いつつ使用者Ｍの両手を左右の袖１５，１５に通し、（２）左上後身頃１３５及び右上後身頃１３６を使用者Ｍの背面側に掛け回し、（３）左上後身頃１３５及び右上後身頃１３６の上側後開き部１９５の留め具Ｆ，Ｆを係着した状態で、（４）下側後開き部１９７が脱離された左下後身頃１３８と右下後身頃１３９とを左右に大きく開き、（５）左下後身頃１３８と右下後身頃１３９とで車椅子５の背もたれ５１の左右両側面までを覆い、（６）左下後身頃１３８及び右下後身頃１３９の下側後開き部１９７の留め具Ｆ，Ｆと、背もたれ５１の左右両側部に設けた被留め具Ｋ，Ｋとを係着し、（７）前開き部１７の留め具Ｔを係着することにより、車椅子用防寒着１の使用者Ｍへの着装が段階的、且つ容易に完了することができる。
【００５１】
このように本発明によれば、車椅子５に着座した状態の使用者Ｍの正面側から被せて、使用者Ｍの背面側で着装ができるので、自己の手足等の身体が動いてしまうことを自分の意志で制御できない使用者に対しても、介護者が使用者Ｍの身体の動きに惑わされることなく、容易に、且つスピーディーに着装作業を完了することができる。
【００５２】
他の方法により使用者Ｍに車椅子用防寒着１を着装する場合として、左右２分割した左手側部Ｌと右手側部Ｒを使用者Ｍの左手側と右手側にそれぞれ単独に着装することもできる。また、使用者Ｍが車椅子５に着座する前に、車椅子用防寒着１を車椅子５にセットしておくこともできる。
【００５３】
例えば、使用者Ｍが車椅子５に着座していない状態で、（１）車椅子用防寒着１の左下後身頃１３８と右下後身頃１３９とを左右に大きく開いて、（２）左下後身頃１３８と右下後身頃１３９とで車椅子５の背もたれ５１の左右両側面を被覆し、（３）下側後開き部１９７の留め具Ｆ，Ｆと、背もたれ５１の左右両側部に設けた被留め具Ｋ，Ｋとを係着（図示せず）し、（４）前開き部１７の留め具Ｔを外しておくことにより、車椅子用防寒着１を備える車椅子５として、事前に着装準備をしておくことが可能である。
【００５４】
着装準備の後、使用者Ｍが車椅子５に着座した段階で、（５）前開き部１７を開き両手を左右の袖１５，１５に通して、（６）左上後身頃１３５及び右上後身頃１３６を使用者の背面側に掛け回し、（７）上側後開き部１９５の留め具Ｆ，Ｆ同士を係着し、（８）前開き部１７の留め具Ｔを係着することにより、車椅子用防寒着１の使用者Ｍへの着装を容易、且つスピーディーに完了することもできる。
【００５５】
本発明の第二の実施例の車椅子用防寒着３は、図８乃至図１１に示すように、車椅子５に着座した使用者Ｍの正面及び周面を被覆可能な前身頃３１と後身頃３３を備えてなる。
【００５６】
前身頃３１は、図８及び図１０に示すように、左前身頃３１１と右前身頃３１３からなり、前身頃３１の前中心が上下方向に沿って、左前身頃３１１と右前身頃３１３とを前開きに分離する前開き部３１７を有すると共に、襟３７の襟刳り３７１から前身頃３１の身丈の略中央３７３までの前開き部３１７を線ファスナーからなる留め具Ｗにより開閉自在に構成されてなる。
【００５７】
なお、図８と図１０の違いは、本発明の第二の実施例の別の形態を示す図であり、一方は、図８に示すように、前身頃３１の裾部３１５が車椅子５に着座した使用者Ｍの足元を被覆可能な長さとなるように身丈が長く形成され、使用者Ｍの上半身から下半身までの全身を覆うことができる。他方は、図１０に示すように、前身頃３１が後身頃３３と略同一の長さとなるように身丈が短く形成され、使用者Ｍの上半身を覆うことができるので、手軽な防寒着として着装することができる。
【００５８】
また、図８に示すように、前身頃３１の裾部３１５の内側面には、前開き部３１７を架け渡されて、裾部３１５を絞り込み可能とする絞りベルト部材３９が取り付けられてなる。絞りベルト部材３９は、ベルト３９１とバックル３９３とベルト押え３９５からなり、前開き部３１７の裾部３１５で左前身頃３１１と右前身頃３１３とを架け渡すように設けられてなり、裾部３１５，３１５を絞り込んで係着するものである。
【００５９】
後身頃３３は、図９及び図１１に示すように、左後身頃３３１と右後身頃３３３からなり、後身頃３３の背中線に沿って、左後身頃３３１と右後身頃３３３とを後開きに分離する後開き部３１９を有すると共に、後開き部３１９の下端部に面ファスナーからなる留め具Ｈを設けて開閉自在に構成されてなる。なお、留め具Ｈは、着装の際に後開き部３１９の下端部が乱れないように整えるものである。
【００６０】
また、後開き部３１９の中央部には、左後身頃３３１と右後身頃３３３とを架け渡すように後身頃３３の内側面にベルト部材３５が取り付けられてなる。ベルト部材３５は、ベルト３５１とバックル３５３とベルト押え３５５からなり、身体に被覆して余った身頃を折り畳むようにして、手押しハンドル５２と背もたれ５１との間に挿し入れて、車椅子用防寒着３を着装した後に身体からずり落ちないように掛け止めるものである。
【００６１】
なお、図９と図１１の違いは、本発明の第二の実施例の別の形態を示す図であり、上述したように、前身頃３１の身丈の長さの違いに伴う形態である。なお、後身頃３３は、図９と図１１共に同一の構成となってなる。
【００６２】
このようにしてなる車椅子用防寒着３は、前身頃３１の留め具Ｗと絞りベルト部材３９をそれぞれ外し、さらに後身頃３３の留め具Ｈとベルト部材３５をそれぞれ外すことにより、前開き部３１７と後開き部３１９を脱離して、上述の車椅子用防寒着１の左手側部Ｌと右手側部Ｒと同じように、左右に２分割（図示せず）することも可能である。
【００６３】
このようにしてなる車椅子用防寒着３は、図８、図９及び図１４に示すように、（１）車椅子用防寒着３の前開き部３１７の留め具Ｗを閉め、且つ後身頃３３を後開き部３１９において開いた状態として、車椅子５に着座した使用者Ｍの正面側から車椅子５の前側の周面を覆い、（２）左後身頃３３１及び右後身頃３３３で車椅子５の後側の周面から使用者Ｍの背面側を覆い、（３）ベルト部材３５で前身頃３１を車椅子５に着座した使用者Ｍに引き付けつつ、（４）左後身頃３３１と右後身頃３３３を使用者Ｍの背面側に配置して、後開き部３１９の留め具Ｈ，Ｈ同士を係着し、（５）車椅子５の手押しハンドル５２と背もたれ５１との間に、身体に被覆して余った身頃を折り畳むように挿し入れ、ベルト部材３５で掛け止めて、（６）最後に絞りベルト部材３９で足元の裾部３１５を絞り込んで掛け止めることにより、車椅子用防寒着３の使用者Ｍへの着装が段階的、且つ容易に完了することができる。
【００６４】
また、車椅子用防寒着３の身頃が前開き部３１７と後開き部３１９で左右に２分割できるので、例えば、（１）左前身頃３１１と左後身頃３３１で使用者Ｍの左側を覆い、（２）右前身頃３１３と右後身頃３３３で使用者Ｍの右側を覆い、（３）前身頃３１の前開き部３１７の留め具Ｗを係着し、（４）後身頃３３の後開き部３１９の留め具Ｈ，Ｈ同士を係着し、（５）車椅子５の手押しハンドル５２と背もたれ５１との間に、身体に被覆して余った身頃を折り畳むように挿し入れ、ベルト部材３５で掛け止めて、（６）最後に絞りベルト部材３９で足元の裾部３１５を絞り込んで掛け止めることによっても、車椅子用防寒着３の使用者Ｍへの着装が容易にできるものである。
【００６５】
上述では主に図８及び図９に示すように、前身頃３１の裾部３１５が車椅子５に着座した使用者Ｍの足元を被覆可能な長さとなるように身丈が長く形成された車椅子用防寒着３について説明したが、一方の図１０及び図１１に示すように、前身頃３１が後身頃３３と略同一の長さとなるように身丈が短く形成された車椅子用防寒着３についても同様の着装手順である。
【００６６】
つまり、（１）車椅子用防寒着３の前開き部３１７の留め具Ｗを閉め、且つ後身頃３３を後開き部３１９において開いた状態として、車椅子５に着座した使用者Ｍの正面側から車椅子５の前側の周面を覆い、（２）左後身頃３３１及び右後身頃３３３で車椅子５の後側の周面から使用者Ｍの背面側を覆い、（３）ベルト部材３５で前身頃３１を車椅子５に着座した使用者Ｍに引き付けつつ、（４）左後身頃３３１と右後身頃３３３を使用者Ｍの背面側に配置して、後開き部３１９の留め具Ｈ，Ｈ同士を係着し、（５）車椅子５の手押しハンドル５２と背もたれ５１との間に、身体に被覆して余った身頃を折り畳むように挿し入れ、ベルト部材３５で掛け止めることにより、車椅子用防寒着３の使用者Ｍへの着装が段階的、且つ容易に完了することができる。
【００６７】
なお、図１４に示すように、ベルト部材３５を掛け止めることにより、いずれの場合でも凹み３３２が形成できるために、着装した後に身体から車椅子用防寒着３がずり落ちることがなく、さらに、前開き部３１７の留め具Ｗ及び絞りベルト部材３９を外して使用者Ｍが退座した場合においても、ベルト部材３５によって手押しハンドル５２の間に左後身頃１３１と右後身頃３３３とを架け渡すことができるので、車椅子５から車椅子用防寒着３が容易にずり落ちることがない。
【００６８】
また、図８乃至図１１に示すように、左前身頃３１１と右前身頃３１３の両側部には、外方に突設するように留め具延長用切片３６，３６が縫合されてなり、留め具延長用切片３６，３６の先端には、面ファスナーからなる留め具Ｇ，Ｇがそれぞれ設けられてなる。
【００６９】
このことにより、図１４に示すように、車椅子用防寒着３の使用者Ｍへの着装が完了した状態で、強風の煽りで左前身頃３１１と右前身頃３１３の両側部が捲れ上がるような場合には、左前身頃３１１と右前身頃３１３の両側部に縫合した留め具延長用切片３６，３６に設けた留め具Ｇ，Ｇ同士を車椅子５の後側で係着することにより、左前身頃３１１と右前身頃３１３の両側部の捲れ上がりを防止できる。
【符号の説明】
【００７０】
１    車椅子用防寒着
３    車椅子用防寒着
５    車椅子
１１    前身頃
１３    後身頃
１５    袖
１７    前開き部
１９    後開き部
３１    前身頃
３３    後身頃
３５    ベルト部材
３６    留め具延長用切片
３７    襟
３９    絞りベルト部材
５１    背もたれ
５２    手押しハンドル
Ｆ    留め具
Ｇ    留め具
Ｈ    留め具
Ｋ    被留め具
Ｌ    左手側部
Ｍ    使用者
Ｒ    右手側部
Ｔ    留め具
Ｗ    留め具
【図１】
2018127723.tif 000003
【図２】
2018127723.tif 000004
【図３】
2018127723.tif 000005
【図４】
2018127723.tif 000006
【図５】
2018127723.tif 000007
【図６】
2018127723.tif 000008
【図７】
2018127723.tif 000009
【図８】
2018127723.tif 000010
【図９】
2018127723.tif 000011
【図１０】
2018127723.tif 000012
【図１１】
2018127723.tif 000013
【図１２】
2018127723.tif 000014
【図１３】
2018127723.tif 000015
【図１４】
2018127723.tif 000016